【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】
第１のノードから第２のノードへの情報転送方法であって、各ノードが通信ネットワークとそれぞれ接続し、各通信ネットワークが前記第１のノードと第２のノードの間で同期情報の交換を行うことにより同期し、第１のノードがクロックのクロック・パルスをモニターするカウンタを備えるように成される方法において、データを有するフレームを前記第１のノードから前記第２のノードへ転送しなければならないとき、前記第１のノードにおいて実行される、
参照イベントの発現においてカウントされた前記クロック・パルスを表す情報を読み込むステップと、
少なくとも前記情報または前記情報に基づいて計算される情報をフレームの中へ同期情報として挿入するステップと、
前記フレームを前記第２のノードへ転送するステップとを有することを特徴とする情報転送方法。
【請求項２】
前記第１のノードにクロックが含まれていることを特徴とする請求項１に記載の情報転送方法。
【請求項３】
カウントされたクロック・パルス数がレジスタに記憶されることを特徴とする請求項２に記載の情報転送方法。
【請求項４】
計算された情報が２つの参照イベント間でカウントされたクロック・パルス数の差であることを特徴とする請求項１に記載の情報転送方法。
【請求項５】
前記参照イベントがフレーム参照イベントであることを特徴とする請求項１に記載の情報転送方法。
【請求項６】
前記フレームがプリアンブルとデータフレームとから構成されることを特徴とする請求項１に記載の情報転送方法。
【請求項７】
前記フレーム参照イベントがデータフレームの開始であることを特徴とする請求項６に記載の情報転送方法。
【請求項８】
前記情報が前記データフレームの中へ挿入されることを特徴とする請求項６に記載の情報転送方法。
【請求項９】
前記クロックが、該クロックが接続されている前記ネットワーク上に同期信号を生成することを特徴とする請求項２に記載の方法。
【請求項１０】
前記第１のノードが、該ノードが接続されている前記ネットワーク上で、レジスタに記憶されたカウントされたクロック・パルス数を周期的に送信することを特徴とする請求項３に記載の方法。
【請求項１１】
前記第１のノードが、該ノードが接続されている前記ネットワークから受信した情報によって該ノードのレジスタを更新することを特徴とする請求項３に記載の方法。
【請求項１２】
第２のノードによる第１のノードからの情報受信方法であって、各ノードがそれぞれ通信ネットワークと接続し、第１のノードと第２のノード間で同期情報の交換を行うことにより各通信ネットワークが同期し、前記第２のノードがクロックのクロック・パルスをモニターするカウンタを備えている方法において、第１のノードからデータを有するフレームが受信された場合、前記第２のノードで実行される、
参照イベントの発現時にカウントされたクロック・パルスを表す情報を読み込むステップと、
受信フレームに挿入された同期情報を読み込むステップと、
情報間の差を計算するステップと、
上記計算ステップの結果に従ってネットワーク同期処理手順の中へ入るステップとを有することを特徴とする情報受信方法。
【請求項１３】
前記クロックが前記第２のノードに含まれることを特徴とする請求項１２に記載の情報受信方法。
【請求項１４】
前記計算ステップが、参照イベントの発現時に読み込まれた同期情報から、前記カウントされたクロック・パルスを表す読み込まれた情報を減算することから成ることを特徴とする請求項１２に記載の情報受信方法。
【請求項１５】
前記ネットワーク同期処理手順が、同期用の第１のレジスタの中へ前記減算ステップの結果を記憶するステップを有することを特徴とする請求項１２に記載の情報受信方法。
【請求項１６】
請求項１５に記載の情報受信方法において、前記ネットワーク同期処理手順が、
第２の参照イベントの発現時にカウントされたクロック・パルスを表す情報を読み込むステップと、
第２の受信フレームに同期情報を読み込むステップと、
前記第２の参照イベントの発現時にカウントされた前記クロック・パルスを表す１つの読み込まれた情報を第２の受信フレームの１つの読み込まれた情報から減算するステップと、
同期を行うために、第２のレジスタの中へ前記減算ステップの結果を記憶するステップとをさらに有することを特徴とする情報受信方法。
【請求項１７】
請求項１６に記載の情報受信方法であって、前記ネットワーク同期処理手順が、
前記第１のレジスタから前記第２のレジスタの内容を減算するステップと、
前記減算ステップの結果を表す情報を含む情報メッセージを前記ネットワーク上に生成するステップとを更に有することを特徴とする情報受信方法。
【請求項１８】
請求項１６に記載の情報受信方法において、前記ネットワーク同期処理手順が、
前記第１のレジスタから前記第２のレジスタの内容を減算するステップと、
同期を考慮して同期レジスタに前記減算ステップの結果を記憶するステップとを更に有することを特徴とする方法。
【請求項１９】
前記フレームの前記同期情報が、前記第１のノード上での２つの参照イベントの発現時にカウントされたクロック・パルスの間の差であることを特徴とする請求項１２に記載の情報受信方法。
【請求項２０】
請求項１９に記載の情報受信方法において、参照イベントの発現時にカウントされた前記クロック・パルスを表す情報を読み込む前記ステップが、
２つの参照イベントの発現時にカウントされた前記クロック・パルスを表す２つの情報を読み込むステップと、
双方の情報の間の差を計算して読み込まれた情報を形成するように成すステップとから成ることを特徴とする方法。
【請求項２１】
前記ネットワーク同期処理手順が、ネットワーク同期を考慮して同期レジスタに前記減算ステップの結果を記憶するステップを有することを特徴とする請求項２０に記載の情報受信方法。
【請求項２２】
前記ネットワーク同期処理手順が、前記減算ステップの結果を表す情報を含む情報メッセージを前記ネットワーク上に生成するステップを有することを特徴とする請求項２０に記載の情報受信方法。
【請求項２３】
前記同期レジスタが、前記第２のノードのクロックから生成された前記ネットワーク同期信号の少なくとも１つの時間を修正するためのレジスタであることを特徴とする請求項１８または２１に記載の方法。
【請求項２４】
前記フレームがプリアンブルとデータフレームから構成されることを特徴とする請求項１２に記載の情報受信方法。
【請求項２５】
前記参照イベントがフレーム参照イベントであることを特徴とする請求項１２に記載の情報受信方法。
【請求項２６】
前記フレーム参照イベントが前記データフレームの開始であることを特徴とする請求項２４に記載の情報受信方法。
【請求項２７】
前記第２のノードのクロックが、該クロックが接続されている前記ネットワーク上に同期信号を生成することを特徴とする請求項２３に記載の方法。
【請求項２８】
前記第２のノードが、該ノードが接続されている前記ネットワーク上でカウントされたパルス数を周期的に送信することを特徴とする請求項２３に記載の方法。
【請求項２９】
前記第２のノードが、該ノードが接続されている前記ネットワークから受信された情報からカウントされたパルス数を更新することを特徴とする請求項１７または２２に記載の方法。
【請求項３０】
通信ノード情報の転送装置であって、前記転送装置とノードがそれぞれ通信ネットワークと接続し、前記転送装置とノード間の同期情報の交換により各通信ネットワークが同期し、クロックのクロック・パルスをモニターするカウンタを備える転送装置において、
参照イベントの発現時にカウントされたクロック・パルスを表す情報を読み込むためのプロセッサと、
少なくとも前記情報または前記情報に基づいて計算された情報を同期情報として１つのフレームの中へ挿入するための挿入手段と、
前記ノードへ前記フレームを転送するための転送手段とを有することを特徴とする転送装置。
【請求項３１】
情報フレームによる情報交換を行う通信ネットワーク間で同期を行うための方法であって、各通信ネットワークがクロックを有し、クロック・パルス数がカウンタによってモニターされるように成される方法において、
参照イベントの発現時に、第１のネットワークのクロックのカウントされたクロック・パルスを表す情報を読み込むステップと、
少なくとも前記情報または前記情報に基づいて計算された情報を同期情報として情報フレームの中へ挿入するステップと、
第１のネットワークから第２のネットワークへ前記情報フレームを転送するステップと、
参照イベントの発現時に、第２のネットワークのカウントされたクロック・パルスのクロック数を表す情報を読み込むステップと、
第１のネットワークから受信した情報フレームに挿入された同期情報を読み込むステップと、
情報間の差を計算するステップと、
第２のネットワークと同期を行うステップとを有することを特徴とする方法。
【請求項３２】
前記同期ステップが前記計算ステップの結果に従って前記第２のネットワークのクロックにより生成された同期信号の少なくとも１つの時間を修正することから成ることを特徴とする請求項３１に記載の方法。
【請求項３３】
通信ノードへ情報を転送する装置で実行されるプログラムを記憶するための記憶媒体において、前記装置と前記ノードがそれぞれ通信ネットワークと接続し、前記装置とノード間の同期情報の交換により各通信ネットワークが同期し、前記装置がクロックのクロック・パルスをモニターするカウンタを備えるように成される前記プログラムが、
参照イベントの発現時にカウントされたクロック・パルスを表す情報を読み込むためのコードと、
少なくとも前記情報または前記情報に基づいて計算された情報を同期情報として１つのフレームの中へ挿入するためのコードと、
前記ノードへ前記フレームを転送するためのコードとを有することを特徴とする記憶媒体。
【請求項３４】
通信ノードへ情報を転送するための装置であって、前記装置とノードがそれぞれ通信ネットワークと接続し、前記装置とノード間の同期情報の交換により各通信ネットワークが同期し、クロックのクロック・パルスをモニターするカウンタを備える装置において、
参照イベントの発現時にカウントされたクロック・パルスを表す情報を読み込むためのプロセッサと、
少なくとも前記情報または前記情報に基づいて計算された情報を同期情報として１つのフレームの中へ挿入するための挿入手段と、
前記ノードへ前記フレームを転送するための転送手段とを有することを特徴とする装置。
【請求項３５】
ノードからの情報受信装置であって、前記ノードと装置がそれぞれ通信ネットワークと接続し、前記ノードと装置間の同期情報の交換により各通信ネットワークが同期し、クロックのクロック・パルスをモニターするカウンタを備えている装置において、
参照イベントの発現時にカウントされたクロック・パルスを表す情報を読み込むためのプロセッサと、
受信フレームに挿入された同期情報を読み込むための読込み手段と、
情報間の差を計算するための計算手段と、
上記計算手段の結果に従ってネットワークの同期を行うための同期手段とを有する情報受信装置。
【請求項３６】
第１のノードから第２のノードへの情報転送方法であって、各ノードがそれぞれ通信ネットワークと接続し、前記第１のノードと前記第２のノード間で同期情報の交換を行うことにより各通信ネットワークが同期し、前記第１のノードがクロックのクロック・パルスをモニターするカウンタを備えるようになっている方法において、前記第１のノードから前記第２のノードへデータを有するフレームを送らなければならない場合、前記第１のノードで実行される、
通信ネットワークにおいて参照イベント時の時刻を表す情報を得るステップと、
時刻を表す前記情報を有する前記フレーム送るステップとを有することを特徴とする情報転送方法。